(57)【要約】      （修正有）【課題】走行中や仕事中等に於いても安心安全に携帯電話を操作し、安全にカードを保持できるカード収納付き携帯電話ケースを提供する。【解決手段】カード収納付き携帯電話ケース１は、穴状の凸状保持部２とカード収納用の静止用凸状部１１を有し、凸状保持部２にはストッパー５付きゴム状紐４等を設け、紐状物４で手や腕部分に装着し、携帯電話を操作でき、更にカードを同時に安全に収納する。また他の動作と同時並行して操作するために、設置された紐状物４を利用して携帯電話を吊るし、立設、片手持ち、あるいは鞄に装着設置して安全に携帯電話を操作できる。【選択図】図１
0003235560.tif 000002
【実用新案登録請求の範囲】
【請求項１】
平面視長方形の構造を持つ携帯電話ケースで、携帯電話側の一面が携帯電話使用時に解放で、外周部に立ち上がり部を有し、携帯電話ケースの立ち上り部のない側の面に、携帯電話ケースを保持するための穴状の凸状保持部を少なくても４個設け、凸状保持部の穴の貫通角度は立ち上り部のない側の面に対して平行で、携帯電話ケースの短辺方向に対しても並行し、更に穴状の凸状保持部に対して携帯電話ケースの長辺部端部の中央部にカードを収納するための静止用凸状部を携帯電話ケースの短辺方向に対して少なくても１つ平行に設け、前記穴状の凸状保持部に紐状物を貫通設置し穴状の凸状保持部と静止用凸状部の間にカードを挟み保持する構造を設置することを特徴とするカード収納付き携帯電話ケース。
【請求項２】
前記穴状の凸状保持部に紐状物を貫通設置し、紐状物の端部に紐の長さ調節用の脱着ストッパーを設置し、凸状保持部に貫通設置した紐状物を用いて人体や所持物の一部に固定せず位置ずらし可能状態で装着することを特徴とするカード収納付き携帯電話ケース。
【考案の詳細な説明】
【技術分野】
【０００１】
本考案は携帯電話ケースの構成に関する。
【背景技術】
【０００２】
従来から保護目的の携帯電話ケースが知られている。
【先行技術文献】
【特許文献】
【０００３】
【特許文献１】特許第６８４９２４０号
【特許文献２】特願２０２１−１３１４８４
【考案の概要】
【考案が解決しようとする課題】
【０００４】
携帯電話ケースには使用時に手や腕に馴染む装着保持構造物がなく、携帯電話を安定して使用できず、カード収納も簡便でなかった。
【課題を解決するための手段】
【０００５】
平面視長方形の構造を持つ携帯電話ケースで、携帯電話側の一面が情報端末使用時に解放で、外周部に立ち上がり部を有し、携帯電話ケースの立ち上り部のない側の面に、携帯電話ケースを保持するための穴状の凸状保持部が少なくても４個設け、凸状保持部の穴の貫通角度は立ち上り部のない側の面に対して平行で、携帯電話ケースの短辺方向に対しても並行し、更に穴状の凸状保持部に対して携帯電話ケースの長辺部端部の中央部にカードを収納するための静止用凸状部を携帯電話ケースの短辺方向に対して少なくても１つ平行に設け、前記穴状の凸状保持部に紐状物を貫通設置し穴状の凸状保持部と静止用凸状部の間にカードを挟み保持する構造を設置した。
【考案の効果】
【０００６】
本考案において携帯電話ケースにあるカード静止用凸状部と携帯電話ケース保持用の凸状部の間にカードを挟み、携帯電話ケース保持用の凸状部に通した保持用紐を用いて走行中や仕事中等の他行動中に於いても安心安全に携帯電話を操作し安全にカードを保持できた。
【０００７】
穴状の凸状保持部に設置する紐状物は、ストッパー付きゴム状紐等を使用することにより、さらに簡便に長さや装着力を変更出来た。
【図面の簡単な説明】
【０００８】
【図１】プラスチック製ゴム紐式装着用携帯電話ケースの立ち上りの無い側のカード収納斜視図。
【図２】木製蓋つき携帯電話ケースの立ち上りの有る側の腕装着斜視図。
【考案を実施するための形態】
【０００９】
本考案の前記携帯電話ケースは造形可能なプラスチックの成型・フォーミング、金属の折り曲げ・フォーミング、木材の削り出し・張り合わせ、革、紙の積層造形等で、またその組み合わせで簡単に作成した。
【００１０】
本考案において、携帯電話ケース外周部に立ち上がり部を有し、穴状の凸状保持部４か所とカード静止用凸状部２か所を携帯電話ケースの立ち上り部のない側の面に設置し、当該凸状保持部に紐状物を貫通設置した。
【００１１】
前記携帯電話ケースを保持するには最低４か所設置し、設置する紐状物は凸状保持部の４か所を経由して１つのサークルとし、カードの中間部位２か所を押し付けた。
【００１２】
穴状の凸状保持部に設置する紐状物は、ストッパー付きゴム状紐等を使用することにより、さらに簡便に長さや装着力を向上出来た。
【００１３】
携帯電話ケースは立ち上り部と1部分でも背面部に穴状の凸状保持部が設置できる平面体であれば表示面を使用後に覆うブック型携帯電話ケースや折り畳み式携帯電話ケースであっても良い。
【００１４】
携帯電話ケースには使用の為の本来の機能穴等は具備されており、さらにストラップ穴、耐衝撃肉厚部、物入れ構造部、飾り造形、磁石端末設置構造、吸盤端末設置構造、端末掛け構造等を追加しても良い。
【実施例１】
【００１５】
図１は携帯電話ケースがポリカーボネート樹脂の射出成型により成型されて、立ち上り部でない側の面にカード収納の為に２か所静止用凸状部を設置し、穴状の凸状保持部を４か所設置した。静止部と保持部を使いカードを収納し、携帯電話ケースを腕装着に供した。
【００１６】
穴状の凸状保持部にゴム紐を４か所貫通させて、腕に装着できる長さの紐長にした。紐の端部に紐ストッパーを設置し腕装着時に適切な装着状態に出来る長さに調整し、腕装着操作出来る様にした。
【実施例２】
【００１７】
図２は木を携帯電話ケース状に削り出しと削孔等工程を行って形成し、立ち上り部でない側の面に同一素材の木を接着してカード収納用の静止用突部２か所と穴状の保持部を４か所作成した。さらに作成した収納器の立ち上り部に丁番を設置し携帯電話ケースの蓋を作成し、蓋の開放部側端部と対応する収納器の立ち上り部に蓋の留め具を設置し、不使用時は強固に携帯電話を保護できるようにした。穴状の保持部に布製の紐を４か所貫通させて、カードを収納し腕に装着し携帯電話の操作に供した。
【００１８】
当事者にとっては、本考案の更なる改良や他の実施形態が明らかであり、また上記説明は、例示としてのみ解釈されるべきで本考案を実行する最良の形態を当業者に教示する目的で提供されたものである。本考案の精神を逸脱すること無く、その構造及び、又は機能の詳細を実質的に変更できる。
【符号の説明】
【００１９】
１  携帯電話ケース
２  穴状の凸状保持部
３  穴
４  紐状物
５  紐ストッパー
６  蓋
７  丁番
８  留め金具
９  カード
１０腕
１１静止用凸状部
【図１】
0003235560.tif 000003
【図２】
0003235560.tif 000004
【手続補正書】
【提出日】令和3年11月1日(2021.11.1)
【手続補正１】
【補正対象書類名】実用新案登録請求の範囲
【補正対象項目名】全文
【補正方法】変更
【補正の内容】
【実用新案登録請求の範囲】
【請求項１】
平面視長方形の構造を持つ携帯電話ケースで、携帯電話側の携帯電話ケース面が携帯電話使用時に携帯電話の表示面を蓋又は保護物により遮ることなく解放で、外周部に立ち上がり部を有し、携帯電話ケースの立ち上り部のない側の面に、携帯電話ケースを保持するための穴状の凸状保持部を少なくても４個設け、凸状保持部の穴の貫通角度は立ち上り部のない側の面に対して平行で、携帯電話ケースの短辺方向に対しても並行し、更に穴状の凸状保持部に対して携帯電話ケースの長辺部端部の中央部にカードを収納するための静止用凸状部を携帯電話ケースの短辺方向に対して少なくても１つ平行に設け、前記穴状の凸状保持部に紐状物を貫通設置し穴状の凸状保持部と静止用凸状部の間にカードを挟み保持する構造を設置することを特徴とするカード収納付き携帯電話ケース。
【請求項２】
前記穴状の凸状保持部に紐状物を貫通設置し、紐状物の端部に紐の長さ調節用の脱着ストッパーを設置し、凸状保持部に貫通設置した紐状物を用いて人体や所持物の一部に固定せず位置ずらし可能状態で装着することを特徴とする請求項１記載のカード収納付き携帯電話ケース。